(57)【要約】【課題】吸収式冷温水機のフロートボックス内に収容することができる小型の吸収式冷温水機の吸収剤流量調整装置の提供。【解決手段】配管１ａから送入される吸収剤の臭化リチウム水溶液４を貯蔵して加熱濃縮する高温再生器３を備え、高温再生器３内の臭化リチウム水溶液４の流量を調整して液面５の高さを一定に保つ吸収式冷温水機の吸収剤流量調整装置において、配管１ａは高温再生器３内の液面５を下方から上方へ貫通する構造から成り、高温再生器３は、配管１ａの外周を覆うように設けられて臭化リチウム水溶液４の液面５の変位に応じて浮沈するドーナツ型のフロート６と、フロート６に設けられた磁石７と、配管１ａ内に設けられて磁石７と磁気的に結合されて連動する鉄球８と、配管１ａ内に設けられ、鉄球８と係合して臭化リチウム水溶液４の流れを塞き止める載頭円錐状筒体９とを備えた。【選択図】図１
2010249377.tif 000002
【特許請求の範囲】
【請求項１】
配管から送入される吸収剤の臭化リチウム水溶液を貯蔵して加熱濃縮する高温再生器を備え、前記高温再生器内の前記臭化リチウム水溶液の流量を調整して液面の高さを一定に保つ吸収式冷温水機の吸収剤流量調整装置において、
前記配管は前記高温再生器内の液面を下方から上方へ貫通する構造から成り、前記高温再生器は、前記配管の外周を覆うように設けられて前記臭化リチウム水溶液の液面の変位に応じて浮沈するドーナツ型のフロートと、前記フロートに設けられた第１の磁性体と、前記配管内に設けられて前記第１の磁性体と磁気的に結合されて連動する第２の磁性体と、前記配管内に設けられ、前記第２の磁性体と係合して前記臭化リチウム水溶液の流れを塞き止める抑止部材とを備えたことを特徴とする吸収式冷温水機の吸収剤流量調整装置。
【請求項２】
請求項１に記載の吸収式冷温水機の吸収剤流量調整装置において、前記高温再生器は、前記配管の外周に設けられて前記抑止部材の高さ位置に前記フロートの変位を制限するストッパを備えたことを特徴とする吸収式冷温水機の吸収剤流量調整装置。
【請求項３】
請求項１に記載の吸収式冷温水機の吸収剤流量調整装置において、前記第２の磁性体は鉄球から成ることを特徴とする吸収式冷温水機の吸収剤流量調整装置。
【請求項４】
請求項３に記載の吸収式冷温水機の吸収剤流量調整装置において、前記抑止部材は載頭円錐状筒体から成り、この載頭円錐状筒体は、前記鉄球の径寸法より大きい径寸法を有して前記配管の内周に摺接する下部開口と、前記鉄球の径寸法より小さい径寸法の上部開口とを有することを特徴とする吸収式冷温水機の吸収剤流量調整装置。
【請求項５】
請求項１ないし４のいずれか１項に記載の吸収式冷温水機の吸収剤流量調整装置において、前記配管は前記高温再生器を下方から上方へ貫通し、前記高温再生器の上部に連結される送入口を有することを特徴とする吸収式冷温水機の吸収剤流量調整装置。
【発明の詳細な説明】
【技術分野】
【０００１】
本発明は、吸収式冷温水機に備えられた高温再生器に係り、特に高温再生器内に貯蔵された臭化リチウム水溶液の液面の高さを一定に保つ吸収式冷温水機の吸収剤流量調整装置に関する。
【背景技術】
【０００２】
一般的に、吸収式冷温水機に吸収剤として用いられる臭化リチウム水溶液は、濃度上昇に応じて吸収器、溶液ポンプ、低温熱交換器、高温熱交換器、高温再生器、高温熱交換器、低温熱交換器、吸収器のサイクルで循環している。これらの中の高温再生器は、配管から送入される臭化リチウム水溶液を貯蔵して加熱濃縮しており、高温再生器内の臭化リチウム水溶液の液面の高さは一定に保たれている。
【０００３】
このような容器内の液体の液面の高さを一定に保つ装置として、排水管から分岐した取水管の下部を貯水タンクに接続し、排水管を流れる雨水を貯水タンクに貯蔵する雨水利用装置が従来より提案されている（例えば、特許文献１参照）。
【０００４】
そこで、高温再生器内の臭化リチウム水溶液の液面高さを一定に保つための装置として、特許文献１に開示された雨水利用装置を用いることが考えられる。この雨水利用装置では、排水管は取水管の下部に弁装置を備えると共に、貯水タンクは貯水量に連動して上下するフロート機構を備え、この弁装置は、排水管内を上下動する連動軸と、フロート機構に連動する駆動リングとを磁気的に結合して連動させて開閉する装置である。
【先行技術文献】
【特許文献】
【０００５】
【特許文献１】特開２００２−２６６３８１号公報
【発明の概要】
【発明が解決しようとする課題】
【０００６】
しかしながら、特許文献１に開示された従来の雨水利用装置では、上述したように排水管内に上下動可能に取り付けられた連動軸と、貯水タンクに備えられたフロート機構に連動する駆動リングとを磁気的に結合して連動させることによって弁装置を開閉させているので、フロート機構及び貯水タンクがこの弁装置を開閉させるだけの大きさが必要となり、雨水利用装置は大型となる。そのため、この雨水利用装置を比較的小さな吸収式冷温水機のフロートボックス内に収容することができず、高温再生器内に貯蔵された臭化リチウム水溶液に適用することができない問題がある。
【０００７】
本発明は、このような従来技術の実情に鑑みてなされたもので、その目的は、吸収式冷温水機のフロートボックス内に収容することができる小型の吸収式冷温水機の吸収剤流量調整装置を提供することにある。
【課題を解決するための手段】
【０００８】
上記の目的を達成するために、本発明の吸収式冷温水機の吸収剤流量調整装置は、配管から送入される吸収剤の臭化リチウム水溶液を貯蔵して加熱濃縮する高温再生器を備え、前記高温再生器内の前記臭化リチウム水溶液の流量を調整して液面の高さを一定に保つ吸収式冷温水機の吸収剤流量調整装置において、前記配管は前記高温再生器内の液面を下方から上方へ貫通する構造から成り、前記高温再生器は、前記配管の外周を覆うように設けられて前記臭化リチウム水溶液の液面の変位に応じて浮沈するドーナツ型のフロートと、前記フロートに設けられた第１の磁性体と、前記配管内に設けられて前記第１の磁性体と磁気的に結合されて連動する第２の磁性体と、前記配管内に設けられ、前記第２の磁性体と係合して前記臭化リチウム水溶液の流れを塞き止める抑止部材とを備えたことを特徴としている。
【０００９】
このように構成した本発明は、高温再生器内の臭化リチウム水溶液の液面が第２の磁性体と抑止部材が係合する高さ位置に満たないとき、臭化リチウム水溶液が配管から送入されて高温再生器内の臭化リチウム水溶液の液面が上昇する。このとき、液面の上昇に伴って液面上に浮沈するフロートが上昇し、このフロート内の第１の磁性体の磁気に引きずられて第２の磁性体が配管内を上昇する。そして、高温再生器内の臭化リチウム水溶液の液面が第２の磁性体と抑止部材が係合する高さ位置に満たしたとき、配管内を上昇する第２の磁性体が抑止部材に係合し、配管内を流れる臭化リチウム水溶液を塞き止める。これにより、高温再生器内に配管から臭化リチウム水溶液が送入されないので、高温再生器内の臭化リチウム水溶液の液面の高さを一定に保つことができる。
【００１０】
このように、配管を高温再生器内の液面を下方から上方へ貫通する構造とし、この高温再生器内の配管の周りにフロート及び高温再生器内の配管の内部に第２の磁気センサと抑止部材を配置しているので、装置を小型化することができ、吸収式冷温水機のフロートボックス内に収容することができる。
【００１１】
本発明に係る吸収式冷温水機の吸収剤流量調整装置は、前記高温再生器は、前記配管の外周に設けられて前記抑止部材の高さ位置に前記フロートの変位を制限するストッパを備えたことを特徴としている。このように構成すると、高温再生器内の臭化リチウム水溶液の液面の上昇に伴うフロートの変位をストッパで制限することによって、高温再生器内の臭化リチウム水溶液の液面の高さを確実に所定の位置に保つことができる。
【００１２】
本発明に係る吸収式冷温水機の吸収剤流量調整装置は、前記第２の磁性体は鉄球から成ることを特徴としている。このように構成すると、第２の磁性体の作製が容易であり、製作コストを抑えることができると共に、第２の磁性体が球状の安定した構造を有するので、配管内での浮遊が安定して配管内をスムーズに移動することができる。
【００１３】
本発明に係る吸収式冷温水機の吸収剤流量調整装置は、前記抑止部材は載頭円錐状筒体から成り、この載頭円錐状筒体は、前記鉄球の径寸法より大きい径寸法を有して前記配管の内周に摺接する下部開口と、前記鉄球の径寸法より小さい径寸法の上部開口とを有することを特徴としている。このように構成すると、上昇する鉄球を載頭円錐状筒体内部で確実に係合することができるので、第２の磁性体と抑止部材との間から配管内を流れる臭化リチウム水溶液が漏れることを防止することができ、高温再生器内の臭化リチウム水溶液の液面の高さ位置を安定させることができる。
【００１４】
本発明に係る吸収式冷温水機の吸収剤流量調整装置は、前記配管は前記高温再生器を下方から上方へ貫通し、前記高温再生器の上部に連結される送入口を有することを特徴としている。このように構成すると、高温再生器内の臭化リチウム水溶液が配管内に戻って逆流することを防止することができ、装置の故障を防止することができる。
【発明の効果】
【００１５】
本発明の吸収式冷温水機の吸収剤流量調整装置は、高温再生器が、臭化リチウム水溶液の液面を下方から上方へ貫通する配管の外周を覆うように設けられて液面の変位に応じて浮沈するドーナツ型のフロートと、このフロートに設けられた第１の磁性体と、配管内に設けられて第１の磁性体と磁気的に結合されて連動する第２の磁性体と、配管内に設けられて第２の磁性体と係合する抑止部材とを備えている。そして、この高温再生器内の液面が第２の磁性体と抑止部材が係合する高さ位置に満たないとき、臭化リチウム水溶液が配管から高温再生器内へ送入され、高温再生器内の臭化リチウム水溶液の液面が第２の磁性体と抑止部材が係合する高さ位置に達したとき、フロートの第１の磁性体の磁気に引きずられて配管内を上昇した第２の磁性体が抑止部材に係合して配管内を流れる臭化リチウム水溶液を塞き止める。これにより、臭化リチウム水溶液が配管から高温再生器内へ送入されることを防ぎ、高温再生器内の液面の高さを一定に保つことができる。このように、従来では困難であった装置の小型化を実現して吸収式冷温水機のフロートボックス内に収容することができるので、高温再生器内に貯蔵された臭化リチウム水溶液に適用することができる。
【図面の簡単な説明】
【００１６】
【図１】本発明に係る吸収式冷温水機の吸収剤流量調整装置の一実施形態の構成を示す側面図である。
【図２】本発明に係る吸収式冷温水機の吸収剤流量調整装置の一実施形態の動作を示す側面図である。
【発明を実施するための形態】
【００１７】
以下、本発明に係る吸収式冷温水機の吸収剤流量調整装置を実施するための形態を図に基づいて説明する。
【００１８】
図１は本発明に係る吸収式冷温水機の吸収剤流量調整装置の一実施形態の構成を示す側面図である。
【００１９】
本発明に係る吸収式冷温水機の吸収剤流量調整装置の一実施形態は、図１に示すように、吸収式冷温水機の吸収剤の臭化リチウム水溶液４が貯蔵される高温再生器３に適用される。この高温再生器３には、図示しない高温熱交換器から臭化リチウム水溶液４が送入される配管１ａ及び高温熱交換器へ臭化リチウム水溶液４を送出する配管１ｂが配設されている。高温再生器３は上部に送入口１１ａを有し、下部に送出口１１ｂを有しており、配管１ａはこの高温再生器３を下方から上方へ貫通して送入口１１ａに連結されており、配管１ｂは送出口１１ｂに連結されている。
【００２０】
また、高温再生器３は、配管１ａの外周を覆うように設けられて臭化リチウム水溶液４の液面５の変位に応じて浮沈するドーナツ型のフロート６と、フロート６に設けられた第１の磁性体、例えば磁石７と、配管１ａ内に設けられて磁石７と磁気的に結合されて連動する第２の磁性体、例えば鉄球８と、配管内１ａに設けられ、鉄球８と係合して臭化リチウム水溶液４の流れを塞き止める後述する抑止部材と、配管１ａの外周に設けられて抑止部材の高さ位置にフロート６の変位を制限するストッパ１０とを備えている。
【００２１】
前述した抑止部材は、載頭円錐状筒体９から成り、この載頭円錐状筒体９は、鉄球８の径寸法より大きい径寸法を有して配管１ａの内周に摺接する下部開口１３と、鉄球８の径寸法より小さい径寸法の上部開口１２とを有している。なお、載頭円錐状筒体９及びストッパ１０は、液面５を一定に保つ高さ位置、すなわち設定位置２０に液面５の上昇が制限されるように予め配置されている。
【００２２】
次に、本発明の一実施形態の動作を図１及び図２に基づいて説明する。
【００２３】
図２は本発明に係る吸収式冷温水機の吸収剤流量調整装置の一実施形態の動作を示す側面図である。
【００２４】
図１に示すように、高温再生器３内の臭化リチウム水溶液４の液面５が設定位置２０に満たないとき、臭化リチウム水溶液４が配管１ａ内を、鉄球８と配管１ａの内壁との間隙、載頭円錐状筒体９の下部開口１３、上部開口１２、及び送入口１１ａの順に流れて高温再生器３内に送入される。そして、高温再生器３内の臭化リチウム水溶液４の液面５が上昇すると、この液面５上に浮沈するフロート６も上昇する。これと同時に、鉄球８がこのフロート６の内部の磁石７から磁力を受けて磁石７と共に上昇する。
【００２５】
図２に示すように、高温再生器３内の臭化リチウム水溶液４の液面５が設定位置２０に達したとき、配管１ａ内を上昇する鉄球８が載頭円錐状筒体９内のうち下部開口１３と上部開口１２との間に係合し、配管１ａ内を流れる臭化リチウム水溶液４が塞き止められて臭化リチウム水溶液４の液面５が設定位置２０に維持される。
【００２６】
このように構成した本発明の一実施形態によれば、高温再生器３内の臭化リチウム水溶液４の液面５が設定位置２０に満たないとき、臭化リチウム水溶液４が配管１ａから送入されて高温再生器３内の臭化リチウム水溶液４の液面５が上昇する。高温再生器３内の臭化リチウム水溶液４の液面５が設定位置２０に達したとき、鉄球８が載頭円錐状筒体９と係合することにより、配管１ａ内を流れる臭化リチウム水溶液４を塞き止めることができる。これによって、高温再生器３内の臭化リチウム水溶液４の液面５を設定位置２０に一定に保つことができる。
【００２７】
このように、本発明の一実施形態は、従来では困難であった装置の小型化を実現して吸収式冷温水機のフロートボックス内に収容することができるので、高温再生器３内に貯蔵された臭化リチウム水溶液４に適用することができる。
【００２８】
また、本発明の一実施形態は、載頭円錐状筒体９の高さ位置に設けられたストッパ１０でフロート６の変位を制限することにより、高温再生器３内の臭化リチウム水溶液４の液面５の高さを確実に設定位置２０に保つことができる。
【００２９】
また、本発明の一実施形態は、第２の磁性体が鉄球８から成ることにより、第２の磁性体の作製が容易となるので、製作コストを抑えることができる。また、鉄球８が球状の安定した構造を有するので、配管１ａ内での浮遊が安定して配管１ａ内をスムーズに移動することができる。これにより、鉄球８が配管１ａの内壁と衝突することを防止することができるので、衝突によって鉄球８が変形することを防止することができる。
【００３０】
また、本発明の一実施形態は、抑止部材は載頭円錐状筒体９から成り、鉄球８がこの載頭円錐状筒体９内のうち下部開口１３と上部開口１２との間で係合することにより、配管１ａの臭化リチウム水溶液４の流れを確実に塞き止めることができるので、鉄球８と載頭円錐状筒体９との間から配管１ａ内を流れる臭化リチウム水溶液４が漏れることを防止することができ、高温再生器３内の液面５の高さ位置を安定させることができる。
【００３１】
また、本発明の一実施形態は、配管１ａが高温再生器３を下方から上方へ貫通し、高温再生器３の上部に設けられた送入口１１ａと連結することにより、高温再生器３内の液面５と送入口１１ａが接することがないので、高温再生器３内の臭化リチウム水溶液４が配管１ａ内に戻って逆流することを防止することができ、装置が故障することを防止することができる。これにより、装置の耐久性を向上することができる。
【符号の説明】
【００３２】
１ａ，１ｂ  配管
３  高温再生器
４  臭化リチウム水溶液
５  液面
６  フロート
７  磁石（第１の磁性体）
８  鉄球（第２の磁性体）
９  載頭円錐状筒体（抑止部材）
１０  ストッパ
１１ａ  送入口
１１ｂ  送出口
１２  上部開口
１３  下部開口
２０  設定位置
【図１】
2010249377.tif 000003
【図２】
2010249377.tif 000004